(57)【要約】【課題】設備費を抑えつつ短時間で高精度に光ファイバの伝送特性を測定することが可能な光ファイバ測定装置及び光ファイバ測定方法を提供する。【解決手段】測定用ダミーファイバＦ０と、測定用ダミーファイバＦ０の光ファイバ心線Ｆ０ａ１〜Ｆ０ａ４の一端と被測定用ファイバＦ１の光ファイバ心線Ｆ１ａ１〜Ｆ１ａ４の一端を突き合わせるＭＡＳと、測定用ダミーファイバＦ０の１番心及び３番心の光ファイバ心線Ｆ０ａ１，Ｆ０ａ３の他端に接続された２台のＯＴＤＲ測定器１１Ａと、測定用ダミーファイバＦ０の４番心の光ファイバ心線Ｆ０ａ４の他端に接続された１台のファイバ検知器１１Ｂと、ＯＴＤＲ測定器１１Ａ、ファイバ検知器１１Ｂ及びＭＡＳを動作制御する制御装置と、を備える。【選択図】図５
2015152431.tif 000002
【特許請求の範囲】
【請求項１】
４本の光ファイバ心線を並列に並べて一体化したテープ心線である被測定用ファイバの伝送特性を測定する光ファイバ測定装置であって、
１番心、２番心、３番心及び４番心の４本の光ファイバ心線を順番に並列に並べて一体化したテープ心線である測定用ダミーファイバと、
光ファイバ心線を保持する複数のＶ溝が並列に形成されたＶ溝ブロックのそれぞれの前記Ｖ溝で前記測定用ダミーファイバの一端と前記被測定用ファイバの一端の各光ファイバ心線を突き合わせる測定補助装置と、
前記測定用ダミーファイバの１番心及び３番心の光ファイバ心線の他端に接続されて前記被測定用ファイバの光ファイバ心線の伝送特性を測定する２台の伝送特性測定器と、
前記測定用ダミーファイバの４番心の光ファイバ心線の他端に接続されて前記被測定用ファイバの光ファイバ心線の有無を検知する１台のファイバ検知器と、
前記伝送特性測定器、前記ファイバ検知器及び前記測定補助装置を動作制御する制御装置と、
を備え、
前記制御装置は、
前記被測定用ファイバの４本の光ファイバ心線と前記測定用ダミーファイバの４本の光ファイバ心線を突き合わせて前記伝送特性測定器による測定及び前記ファイバ検知器による検知を行う第１測定と、
前記測定用ダミーファイバを４番心側に１心ずらして前記被測定用ファイバの３本の光ファイバ心線と前記測定用ダミーファイバの１番心、２番心及び３番心の光ファイバ心線を突き合わせて前記伝送特性測定器による測定及び前記ファイバ検知器による検知を行う第２測定とを実行し、
前記第１測定及び前記第２測定における前記伝送特性測定器の測定結果から前記被測定用ファイバの４本の光ファイバ心線の伝送特性を取得するとともに、前記第１測定及び前記第２測定における前記伝送特性測定器の測定結果及び前記ファイバ検知器の検知結果から前記被測定用ファイバに対する前記測定用ダミーファイバの軸ずれの有無を判定する光ファイバ測定装置。
【請求項２】
前記伝送特性測定器は、前記被測定用ファイバの前記光ファイバ心線に光パルスを入射し、各部位からの後方散乱光の戻り時間と光量を測定することで、前記被測定用ファイバの前記光ファイバ心線上の損失分布や損失値、欠陥位置を算出するＯＴＤＲ測定器である請求項１に記載の光ファイバ測定装置。
【請求項３】
４本の光ファイバ心線を並列に並べて一体化したテープ心線である被測定用ファイバの前記光ファイバ心線をＶ溝ブロックに並列に形成されたＶ溝に保持させ、
１番心、２番心、３番心及び４番心の４本の光ファイバ心線を順番に並列に並べて一体化したテープ心線である測定用ダミーファイバの前記光ファイバ心線を前記Ｖ溝に保持させて前記被測定用ファイバの４本の光ファイバ心線と突き合わせ、前記１番心及び前記３番心の光ファイバ心線に接続した伝送特性測定器で前記被測定用ファイバの前記光ファイバ心線の伝送特性を測定するとともに、前記４番心の光ファイバ心線に接続したファイバ検知器で前記被測定用ファイバの有無を検知する第１測定を実行し、
前記測定用ダミーファイバを４番心側に１心ずらして前記被測定用ファイバの２番心、３番心及び４番心の光ファイバ心線と前記測定用ダミーファイバの３本の光ファイバ心線を突き合わせて前記伝送特性測定器による測定及び前記ファイバ検知器による検知を行う第２測定を実行し、
前記第１測定及び前記第２測定における前記伝送特性測定器の測定結果から前記被測定用ファイバの４本の光ファイバ心線の伝送特性を取得するとともに、前記第１測定及び前記第２測定における前記伝送特性測定器の測定結果及び前記ファイバ検知器の検知結果から前記被測定用ファイバに対する前記測定用ダミーファイバの軸ずれの有無を判定する光ファイバ測定方法。
【発明の詳細な説明】
【技術分野】
【０００１】
本発明は、光ケーブルの光ファイバ心線の伝送特性検査を行う光ファイバ測定装置及び光ファイバ測定方法に関する。
【背景技術】
【０００２】
従来、光ケーブルに収納されている光ファイバの伝送特性検査は、ＯＴＤＲ測定器（Optical Time Domain Reflectmeter）で行われているが、多心の光ファイバが測定対象である場合は、測定補助装置（ＭＡＳ：Multiple Alignment System）を使用して効率良く測定される。
【０００３】
この伝送特性検査を行う測定装置としては、複数本の光ファイバ心線を並列に並べて一体化したテープ心線である被測定用ファイバの本数と同数の光ファイバ心線を並列に並べて一体化したテープ心線である測定用ダミーファイバと、測定用ダミーファイバの各光ファイバ心線毎に接続されたＯＴＤＲ測定器とを備えたものがある（特許文献１参照）。この測定装置によれば、一つのＯＴＤＲ測定器に接続された一本の測定用ダミーファイバを被測定用ファイバの光ファイバ心線に対して順に突き合わせて測定する測定装置と比較し、被測定用ファイバの複数の光ファイバ心線の伝送特性を、それと同数のＯＴＤＲ測定器で短時間に測定することが可能である。
【先行技術文献】
【特許文献】
【０００４】
【特許文献１】特開２０１３−１６４３９８号公報
【発明の概要】
【発明が解決しようとする課題】
【０００５】
しかしながら、特許文献１に記載の測定装置は、被測定用ファイバの光ファイバ心線と同数の高価なＯＴＤＲ測定器を要するため、光ファイバの伝送特性検査の設備費が大幅に嵩んでしまう。
【０００６】
本発明は、設備費を抑えつつ短時間で高精度に光ファイバの伝送特性を測定することが可能な光ファイバ測定装置及び光ファイバ測定方法を提供することを目的とする。
【課題を解決するための手段】
【０００７】
本発明にかかる光ファイバ測定装置は、
４本の光ファイバ心線を並列に並べて一体化したテープ心線である被測定用ファイバの伝送特性を測定する光ファイバ測定装置であって、
１番心、２番心、３番心及び４番心の４本の光ファイバ心線を順番に並列に並べて一体化したテープ心線である測定用ダミーファイバと、
光ファイバ心線を保持する複数のＶ溝が並列に形成されたＶ溝ブロックのそれぞれの前記Ｖ溝で前記測定用ダミーファイバの一端と前記被測定用ファイバの一端の各光ファイバ心線を突き合わせる測定補助装置と、
前記測定用ダミーファイバの１番心及び３番心の光ファイバ心線の他端に接続されて前記被測定用ファイバの光ファイバ心線の伝送特性を測定する２台の伝送特性測定器と、
前記測定用ダミーファイバの４番心の光ファイバ心線の他端に接続されて前記被測定用ファイバの光ファイバ心線の有無を検知する１台のファイバ検知器と、
前記伝送特性測定器、前記ファイバ検知器及び前記測定補助装置を動作制御する制御装置と、
を備え、
前記制御装置は、
前記被測定用ファイバの４本の光ファイバ心線と前記測定用ダミーファイバの４本の光ファイバ心線を突き合わせて前記伝送特性測定器による測定及び前記ファイバ検知器による検知を行う第１測定と、
前記測定用ダミーファイバを４番心側に１心ずらして前記被測定用ファイバの３本の光ファイバ心線と前記測定用ダミーファイバの１番心、２番心及び３番心の光ファイバ心線を突き合わせて前記伝送特性測定器による測定及び前記ファイバ検知器による検知を行う第２測定とを実行し、
前記第１測定及び前記第２測定における前記伝送特性測定器の測定結果から前記被測定用ファイバの４本の光ファイバ心線の伝送特性を取得するとともに、前記第１測定及び前記第２測定における前記伝送特性測定器の測定結果及び前記ファイバ検知器の検知結果から前記被測定用ファイバに対する前記測定用ダミーファイバの軸ずれの有無を判定する。
【０００８】
また、本発明にかかる光ファイバ測定方法は、
４本の光ファイバ心線を並列に並べて一体化したテープ心線である被測定用ファイバの前記光ファイバ心線をＶ溝ブロックに並列に形成されたＶ溝に保持させ、１番心、２番心、３番心及び４番心の４本の光ファイバ心線を順番に並列に並べて一体化したテープ心線である測定用ダミーファイバの前記光ファイバ心線を前記Ｖ溝に保持させて前記被測定用ファイバの４本の光ファイバ心線と突き合わせ、前記１番心及び前記３番心の光ファイバ心線に接続した伝送特性測定器で前記被測定用ファイバの前記光ファイバ心線の伝送特性を測定するとともに、前記４番心の光ファイバ心線に接続したファイバ検知器で前記被測定用ファイバの有無を検知する第１測定を実行し、
前記測定用ダミーファイバを４番心側に１心ずらして前記被測定用ファイバの２番心、３番心及び４番心の光ファイバ心線と前記測定用ダミーファイバの３本の光ファイバ心線を突き合わせて前記伝送特性測定器による測定及び前記ファイバ検知器による検知を行う第２測定を実行し、
前記第１測定及び前記第２測定における前記伝送特性測定器の測定結果から前記被測定用ファイバの４本の光ファイバ心線の伝送特性を取得するとともに、前記第１測定及び前記第２測定における前記伝送特性測定器の測定結果及び前記ファイバ検知器の検知結果から前記被測定用ファイバに対する前記測定用ダミーファイバの軸ずれの有無を判定する。
【発明の効果】
【０００９】
本発明によれば、設備費を抑えつつ短時間で高精度に光ファイバの伝送特性を測定することが可能な光ファイバ測定装置及び光ファイバ測定方法を提供することができる。
【図面の簡単な説明】
【００１０】
【図１】本発明の一実施形態に係る光ファイバ測定装置の構成を示すブロック図である。
【図２】図１のＭＡＳの要部を示す拡大図である。
【図３】図２のＭＡＳのＶ溝ブロック上での光ファイバの接続端部を示す概略図である。
【図４】Ｖ溝内に挿入された被測定用ファイバの端部を示す概略図である。
【図５】光ファイバ測定装置の構成及び測定方法を説明する図であって、（ａ）及び（ｂ）は、それぞれ概略構成図である。
【図６】光ファイバ測定方法の流れを説明するフローチャートである。
【図７】光ファイバの測定時における各種の測定ケースを示す図である。
【発明を実施するための形態】
【００１１】
〈本発明の実施形態の概要〉
最初に本発明の実施形態の概要を説明する。
本発明にかかる光ファイバ測定装置の一実施形態は、
（１）４本の光ファイバ心線を並列に並べて一体化したテープ心線である被測定用ファイバの伝送特性を測定する光ファイバ測定装置であって、
１番心、２番心、３番心及び４番心の４本の光ファイバ心線を順番に並列に並べて一体化したテープ心線である測定用ダミーファイバと、
光ファイバ心線を保持する複数のＶ溝が並列に形成されたＶ溝ブロックのそれぞれの前記Ｖ溝で前記測定用ダミーファイバの一端と前記被測定用ファイバの一端の各光ファイバ心線を突き合わせる測定補助装置と、
前記測定用ダミーファイバの１番心及び３番心の光ファイバ心線の他端に接続されて前記被測定用ファイバの光ファイバ心線の伝送特性を測定する２台の伝送特性測定器と、
前記測定用ダミーファイバの４番心の光ファイバ心線の他端に接続されて前記被測定用ファイバの光ファイバ心線の有無を検知する１台のファイバ検知器と、
前記伝送特性測定器、前記ファイバ検知器及び前記測定補助装置を動作制御する制御装置と、
を備え、
前記制御装置は、
前記被測定用ファイバの４本の光ファイバ心線と前記測定用ダミーファイバの４本の光ファイバ心線を突き合わせて前記伝送特性測定器による測定及び前記ファイバ検知器による検知を行う第１測定と、
前記測定用ダミーファイバを４番心側に１心ずらして前記被測定用ファイバの３本の光ファイバ心線と前記測定用ダミーファイバの１番心、２番心及び３番心の光ファイバ心線を突き合わせて前記伝送特性測定器による測定及び前記ファイバ検知器による検知を行う第２測定とを実行し、
前記第１測定及び前記第２測定における前記伝送特性測定器の測定結果から前記被測定用ファイバの４本の光ファイバ心線の伝送特性を取得するとともに、前記第１測定及び前記第２測定における前記伝送特性測定器の測定結果及び前記ファイバ検知器の検知結果から前記被測定用ファイバに対する前記測定用ダミーファイバの軸ずれの有無を判定する。
（１）の構成によれば、第１測定と第２測定の２回の測定を行うことで、４心の被測定用ファイバの全ての光ファイバ心線の伝送特性を測定することができる。しかも、測定には、光ファイバ心線の伝送特性を測定する高価な伝送特性測定器は２台でよく、設備費を抑えることができる。
また、伝送特性測定器の測定結果及びファイバ検知器の検知結果から被測定用ファイバに対する測定用ダミーファイバの軸ずれの有無を確実に判定することができる。しかも、軸ずれの有無の判定に用いるファイバ検知器としては、光学的に光ファイバ心線の有無を検知する安価なものを用いたり、老朽化して性能が低下した伝送特性測定器を有効利用することができ、経済的である。
【００１２】
（２）前記伝送特性測定器は、前記被測定用ファイバの前記光ファイバ心線に光パルスを入射し、各部位からの後方散乱光の戻り時間と光量を測定することで、前記被測定用ファイバの前記光ファイバ心線上の損失分布や損失値、欠陥位置を算出するＯＴＤＲ測定器であってもよい。
（２）の構成によれば、ＯＴＤＲ測定器からなる伝送特性測定器によって、被測定用ファイバの光ファイバ心線の伝送特性を高精度に求めることができる。
【００１３】
本発明にかかる光ファイバ測定方法の一実施形態は、
（３）４本の光ファイバ心線を並列に並べて一体化したテープ心線である被測定用ファイバの前記光ファイバ心線をＶ溝ブロックに並列に形成されたＶ溝に保持させ、
１番心、２番心、３番心及び４番心の４本の光ファイバ心線を順番に並列に並べて一体化したテープ心線である測定用ダミーファイバの前記光ファイバ心線を前記Ｖ溝に保持させて前記被測定用ファイバの４本の光ファイバ心線と突き合わせ、前記１番心及び前記３番心の光ファイバ心線に接続した伝送特性測定器で前記被測定用ファイバの前記光ファイバ心線の伝送特性を測定するとともに、前記４番心の光ファイバ心線に接続したファイバ検知器で前記被測定用ファイバの有無を検知する第１測定を実行し、
前記測定用ダミーファイバを４番心側に１心ずらして前記被測定用ファイバの２番心、３番心、４番心の光ファイバ心線と前記測定用ダミーファイバの３本の光ファイバ心線を突き合わせて前記伝送特性測定器による測定及び前記ファイバ検知器による検知を行う第２測定を実行し、
前記第１測定及び前記第２測定における前記伝送特性測定器の測定結果から前記被測定用ファイバの４本の光ファイバ心線の伝送特性を取得するとともに、前記第１測定及び前記第２測定における前記伝送特性測定器の測定結果及び前記ファイバ検知器の検知結果から前記被測定用ファイバに対する前記測定用ダミーファイバの軸ずれの有無を判定する。
（３）の構成によれば、第１測定と第２測定の２回の測定を行うことで、４心の被測定用ファイバの全ての光ファイバ心線の伝送特性を測定することができる。しかも、測定には、光ファイバ心線の伝送特性を測定する高価な伝送特性測定器は２台でよいので、設備費を抑えることができる。
また、伝送特性測定器の測定結果及びファイバ検知器の検知結果から被測定用ファイバに対する測定用ダミーファイバの軸ずれの有無を確実に判定することができる。しかも、軸ずれの有無の判定に用いるファイバ検知器としては、光学的に光ファイバ心線の有無を検知する安価なものを用いたり、老朽化して性能が低下した伝送特性測定器を有効利用することができ、経済的である。
【００１４】
〈本発明の実施形態の詳細〉
以下、本発明に係る光ファイバ測定装置及び測定方法の実施の形態の例を、図面を参照して説明する。なお、本発明はこれらの例示に限定されるものではなく、特許請求の範囲によって示され、特許請求の範囲と均等の意味および範囲内でのすべての変更が含まれることが意図される。
【００１５】
図１は、本発明の一実施形態に係る光ファイバ測定装置１０の構成を示すブロック図である。
図１に示すように、本実施形態の光ファイバ測定装置１０は、主に測定用ダミーファイバＦ０の一端側が接続されたＯＴＤＲ測定器１１Ａ及びファイバ検知器１１Ｂと、Ｖ溝ブロック１４上で測定用ダミーファイバＦ０と被測定用ファイバＦ１とを突き合わせる測定補助装置（ＭＡＳ）１２と、ＯＴＤＲ測定器１１Ａ、ファイバ検知器１１Ｂ及びＭＡＳ１２を動作制御する制御装置１３とを備えている。ＯＴＤＲ測定器１１Ａは、２台設置され、ファイバ検知器１１Ｂは１台設置されている。
【００１６】
被測定用ファイバＦ１は、４本の光ファイバ心線が一平面上に隣接して接触した状態で並列状に配置されており、その外周がテープ心線樹脂によって一体的に被覆されている。光ファイバ心線は、中心にコアとクラッドから成るガラスファイバが配置され、その外周が着色層を含む樹脂で被覆されている。
【００１７】
ＯＴＤＲ測定器１１Ａは、被測定用ファイバＦ１の光ファイバ心線に光パルスを入射し、各部位からの後方散乱光の戻り時間と光量を測定することで、被測定用ファイバＦ１の光ファイバ心線上の損失分布や損失値（ロス値）、欠陥位置等を算出する。被測定用ファイバＦ１の光ファイバ心線自体に局所的にロスが高い箇所があると、ＯＴＤＲ波形上では傾きの変化（段差量、区間ロス値）として現れ、このような傾きの変化を段差異常や区間ロス異常として認識する。
【００１８】
ファイバ検知器１１Ｂは、対向位置における被測定用ファイバＦ１の光ファイバ心線の有無を検知する。このファイバ検知器１１Ｂは、被測定用ファイバＦ１の光ファイバ心線の伝送特性を測定する必要はない。つまり、このファイバ検知器１１Ｂとしては、光ファイバ心線の有無を光学的に検知可能な安価なものを用いることができる。また、このファイバ検知器１１Ｂとしては、性能が低下したＯＴＤＲ測定器を用いることも可能である。本実施形態では、性能が低下したＯＴＤＲ測定器をファイバ検知器１１Ｂとして用いている。
【００１９】
ＯＴＤＲ測定器は長期間の使用等による老朽化が原因で、ＬＤ（Laser Diode）光源の劣化に伴い波形ノイズの増加が進行し、測定されたＯＴＤＲ波形に局部的な微小波形変動が認められる場合がある。この場合、ファイバ特性と波形ノイズのいずれに起因するかの判別ができず、製品の品質保証に支障を来すため、このＯＴＤＲ測定器は光ファイバ心線の伝送特性の測定には使用不能となる。
【００２０】
但し、そのような老朽化が進行して性能が低下したＯＴＤＲ測定器であっても、ＯＴＤＲ波形に対してＬＳＡ(最小二乗近似：Least Square Approximation)を適用すると、測定用ダミーファイバＦ０と被測定用ファイバＦ１との間の接続ロス値に関しては、適切な測定値を取得することが可能である。
【００２１】
つまり、本実施形態では、性能が低下したＯＴＤＲ測定器をファイバ検知器１１Ｂとして用い、このファイバ検知器１１Ｂのデータの接続ロス値に基づいて、被測定用ファイバＦ１の光ファイバ心線の有無を検知する。したがって、このファイバ検知器１１Ｂで得られるデータは、接続ロス値のみを用い、被測定用ファイバＦ１の品質保証データとしては用いない。
【００２２】
制御装置１３は、伝送特性検査用の検査ソフトがインストールされている。制御装置１３は、ＯＴＤＲ測定器１１Ａへ制御信号１５Ａを発信して測定器自体の動作制御を行うとともに、ＯＴＤＲ測定器１１Ａから取得した測定データ１６Ａを受信して、測定データ１６Ａを解析して良否判定を行う。また、制御装置１３は、ファイバ検知器１１Ｂへ制御信号１５Ｂを発信して測定器自体の動作制御を行うとともに、ファイバ検知器１１Ｂから取得した検知データ１６Ｂを受信し、その接続ロス値から光ファイバ心線の有無判定を行う。また、制御装置１３は、ＭＡＳ１２へ制御信号１７を発信して、後述する可動ヘッド２０の動作制御を行って、Ｖ溝ブロック１４上の接続部Ｐに位置決めされている各被測定用ファイバＦ１に、測定用ダミーファイバＦ０の他端側を突き合わせる。
【００２３】
図２は、図１のＭＡＳ１２の要部を示す拡大図である。
図２に示すように、ＭＡＳ１２は、ガイドレール２２上を移動する可動ヘッド２０と、４心の被測定用ファイバＦ１を保持するテープホルダ２３と、テープホルダ２３毎に被測定用ファイバＦ１を配置する複数列のステージ２４とを備えている。各ステージ２４の前方には、複数のＶ溝Ｖｍ（図３及び図４参照）を有するＶ溝ブロック１４が設けられている。ステージ２４は、Ｖ溝ブロック１４に向かって所定角度だけ傾斜している。
【００２４】
図３は、図２のＭＡＳ１２のＶ溝ブロック１４上での光ファイバ心線の接続端部を示す概略図である。図４は、Ｖ溝Ｖｍ内に挿入された被測定用ファイバＦ１の端部を示す概略図である。
図３及び図４に示すように、Ｖ溝ブロック１４には、谷部３１と山部３２が交互に形成されることで、第０番溝Ｖｍ０、第１番溝Ｖｍ１、第２番溝Ｖｍ２、第３番溝Ｖｍ３、第４番溝Ｖｍ４、第５番溝Ｖｍ５及び第６番溝Ｖｍ６などの複数のＶ溝Ｖｍが形成されている。このＶ溝ＶｍのピッチＸは、４心の被測定用ファイバＦ１を構成する光ファイバ心線Ｆ１ａの着色層を含む所定長さの樹脂を剥くことで露出した被測定ガラスファイバＧｈ１〜Ｇｈ４の隣接するガラスファイバ間隔、例えば、第１ガラスファイバＧｈ１と第２ガラスファイバＧｈ２の中心軸間の間隔Ｗに一致する。したがって、可動ヘッド２０の矢印２５方向への最小移動距離は、Ｖ溝ＶｍのピッチＸに一致するように設定される。
【００２５】
図２に示すように、可動ヘッド２０は、ガイドレール２２によって矢印２５方向に移動可能なように設定されている。可動ヘッド２０上には、測定用ダミーファイバＦ０を保持するダミーホルダ２１を備えている。このダミーホルダ２１は、ガイドレール２２に沿った可動ヘッド２０の移動方向である矢印２５方向に対して直角な矢印２６方向に所定距離だけ移動可能なように設定されている。このダミーホルダ２１は、４心の測定用ダミーファイバＦ０を保持する。
【００２６】
被測定用ファイバＦ１の光ファイバ心線Ｆ１ａは、４本が一平面上に隣接して接触した状態で並列状に配置されており、その外周がテープ心線樹脂によって一体的に被覆されてテープ心線の状態とされている。被測定用ファイバＦ１の光ファイバ心線Ｆ１ａは、配列の一方側から順番に、１番心光ファイバ心線Ｆ１ａ１、２番心光ファイバ心線Ｆ１ａ２、３番心光ファイバ心線Ｆ１ａ３及び４番心光ファイバ心線Ｆ１ａ４とされている。
【００２７】
測定用ダミーファイバＦ０は、被測定用ファイバＦ１の光ファイバ心線Ｆ１ａの本数と同数の４本の光ファイバ心線Ｆ０ａを有している。被測定用ファイバＦ１と同様に、測定用ダミーファイバＦ０の光ファイバ心線Ｆ０ａは、中心にコアとクラッドから成るガラスファイバが配置され、その外周が着色層を含むファイバ樹脂で被覆されている。この測定用ダミーファイバＦ０は、その光ファイバ心線Ｆ０ａのピッチが被測定用ファイバＦ１の光ファイバ心線Ｆ１ａと同一ピッチとされている。測定用ダミーファイバＦ０の光ファイバ心線Ｆ０ａは、配列の一方側から順番に、１番心光ファイバ心線Ｆ０ａ１、２番心光ファイバ心線Ｆ０ａ２、３番心光ファイバ心線Ｆ０ａ３及び４番心光ファイバ心線Ｆ０ａ４とされている。
【００２８】
測定用ダミーファイバＦ０は、ダミーホルダ２１への取付け前に光ファイバ心線Ｆ０ａの先端部分のファイバ樹脂を剥いで所定長さのダミーガラスファイバＧｄ１〜Ｇｄ４を露出させる。この測定用ダミーファイバＦ０は可動ヘッド２０上のダミーホルダ２１の所定位置に取付けられる。したがって、ダミーホルダ２１の矢印２６方向への移動距離は、ダミーガラスファイバＧｄ１〜Ｇｄ４の先端部と、Ｖ溝ブロック１４上に配置された突き合わせ相手の被測定ガラスファイバＧｈ１〜Ｇｈ４の先端部との間隔Ｙに一致するように設定される。
【００２９】
図５は、光ファイバ測定装置１０の構成及び測定方法を説明する図であって、（ａ）及び（ｂ）は、それぞれ概略構成図である。
図５（ａ）に示すように、光ファイバ心線Ｆ０ａには、接続用単心光ファイバ４１が接続されている。１番心光ファイバ心線Ｆ０ａ１及び３番心光ファイバ心線Ｆ０ａ３は、接続用単心光ファイバ４１を介して、それぞれＯＴＤＲ測定器１１Ａに接続されている。４番心光ファイバ心線Ｆ０ａ４は、接続用単心光ファイバ４１を介してファイバ検知器１１Ｂに接続されている。２番心光ファイバ心線Ｆ０ａ２に接続された接続用単心光ファイバ４１には、その端部に何も接続されていない状態とされている。なお、２番心光ファイバ心線Ｆ０ａ２には、接続用単心光ファイバ４１を接続しなくてもよい。
【００３０】
次に、本実施形態に係る光ファイバ測定方法について説明する。
図６は、光ファイバ測定方法の流れを説明するフローチャートである。
本実施形態では、制御装置１３がＯＴＤＲ測定器１１Ａ、ファイバ検知器１１Ｂ及びＭＡＳ１２を動作制御し、被測定用ファイバＦ１を２回に分けて測定し、その後、軸ずれによる再測定の要否を判定する。
【００３１】
（ステップＳ０１）
まず、以下の手順による第１測定を実行する。
被測定用ファイバＦ１の光ファイバ心線Ｆ１ａ１〜Ｆ１ａ４の被測定ガラスファイバＧｈ１〜Ｇｈ４をＶ溝ブロック１４の第１番溝Ｖｍ１〜第４番溝Ｖｍ４に保持させる（図３及び図４参照）。
図５（ａ）に示すように、測定用ダミーファイバＦ０の光ファイバ心線Ｆ０ａ１〜Ｆ０ａ４のダミーガラスファイバＧｄ１〜Ｇｄ４を第１番溝Ｖｍ１〜第４番溝Ｖｍ４に保持させ、被測定用ファイバＦ１の光ファイバ心線Ｆ１ａ１〜Ｆ１ａ４の被測定ガラスファイバＧｈ１〜Ｇｈ４に対向させる。
【００３２】
測定用ダミーファイバＦ０を被測定用ファイバＦ１側へ移動させ、ダミーガラスファイバＧｄ１〜Ｇｄ４を被測定ガラスファイバＧｈ１〜Ｇｈ４に突き合わせる。
【００３３】
この状態で、測定用ダミーファイバＦ０の１番心光ファイバ心線Ｆ０ａ１及び３番心光ファイバ心線Ｆ０ａ３に接続したＯＴＤＲ測定器１１Ａで、被測定用ファイバＦ１の１番心光ファイバ心線Ｆ１ａ１及び３番心光ファイバ心線Ｆ１ａ３の伝送特性を測定する。
【００３４】
制御装置１３は、第１測定におけるＯＴＤＲ測定器１１Ａの測定結果から、被測定用ファイバＦ１の１番心光ファイバ心線Ｆ１ａ１及び３番心光ファイバ心線Ｆ１ａ３における製品の品質保証に必要な全測定データとなる伝送特性を取得する。
また、制御装置１３は、測定用ダミーファイバＦ０の４番心の光ファイバ心線Ｆ０ａ４に接続したファイバ検知器１１Ｂのデータから接続ロス値だけを取得する。
【００３５】
（ステップＳ０２）
次に、以下の手順による第２測定を実行する。
図５（ｂ）に示すように、測定用ダミーファイバＦ０を４番心光ファイバ心線Ｆ０ａ４側へ１心分移動させることで、光ファイバ心線Ｆ０ａ１〜Ｆ０ａ４のダミーガラスファイバＧｄ１〜Ｇｄ４を第２番溝Ｖｍ２〜第５番溝Ｖｍ５に保持させ、測定用ダミーファイバＦ０の光ファイバ心線Ｆ０ａ１〜Ｆ０ａ３のダミーガラスファイバＧｄ１〜Ｇｄ３を被測定用ファイバＦ１の光ファイバ心線Ｆ１ａ２〜Ｆ１ａ４の被測定ガラスファイバＧｈ２〜Ｇｈ４に対向させる。
【００３６】
測定用ダミーファイバＦ０を被測定用ファイバＦ１側へ移動させ、ダミーガラスファイバＧｄ１〜Ｇｄ３を被測定ガラスファイバＧｈ２〜Ｇｈ４に突き合わせる。このとき、測定用ダミーファイバＦ０の４番心光ファイバ心線Ｆ０ａ４のダミーガラスファイバＧｄ４は、対向位置に被測定用ファイバＦ１の光ファイバ心線Ｆ１ａ１〜Ｆ１ａ４のいずれも配置されていない第５番溝Ｖｍ５に保持されている。したがって、４番心光ファイバ心線Ｆ０ａ４のダミーガラスファイバＧｄ４には何も突き合わされない状態とされる。
【００３７】
この状態で、測定用ダミーファイバＦ０の１番心光ファイバ心線Ｆ０ａ１及び３番心光ファイバ心線Ｆ０ａ３に接続したＯＴＤＲ測定器１１Ａで、被測定用ファイバＦ１の２番心光ファイバ心線Ｆ１ａ２及び４番心光ファイバ心線Ｆ１ａ４の伝送特性を測定する。
【００３８】
制御装置１３は、第２測定におけるＯＴＤＲ測定器１１Ａの測定結果から、被測定用ファイバＦ１の２番心光ファイバ心線Ｆ１ａ２及び４番心光ファイバ心線Ｆ１ａ４における製品の品質保証に必要な全測定データとなる伝送特性を取得する。
また、制御装置１３は、測定用ダミーファイバＦ０の４番心の光ファイバ心線Ｆ０ａ４に接続したファイバ検知器１１Ｂのデータから見かけ上の接続ロス値だけを取得する。
【００３９】
（ステップＳ０３）
以下のファイバ検出器１１Ｂからのデータに基づく再測定要否判定を行う。
制御装置１３は、第１測定（ステップＳ０１）及び第２測定（ステップＳ０２）で得られたファイバ検出器１１Ｂの検知結果が所定のパターンである正常パターンか否かを判定する。
【００４０】
第１測定では、測定用ダミーファイバＦ０の４番心光ファイバ心線Ｆ０ａ４は、被測定用ファイバＦ１の４番心光ファイバＦ１ａ４に突き合わされる。つまり、４番心光ファイバ心線Ｆ０ａ４の対向位置には、４番心光ファイバ心線Ｆ１ａ４が有している。このため、ファイバ検出器１１Ｂからのデータでは、小さな接続ロス値（例えば、＋５ｄＢ以下）が得られる。そして、この接続ロス値に基づいて、４番心光ファイバ心線Ｆ０ａ４の対向位置に４番心光ファイバ心線Ｆ１ａ４が有していることが検知される。
【００４１】
これに対して、第２測定では、測定用ダミーファイバＦ０の４番心光ファイバ心線Ｆ０ａ４には、何も突き合わされない。つまり、４番心光ファイバ心線Ｆ０ａ４の対向位置には、光ファイバ心線Ｆ１ａ１〜Ｆ１ａ４のいずれも有していない。このため、ファイバ検出器１１Ｂからのデータでは、過大な接続ロス値（例えば、＋１０ｄＢ以上）が得られる。そして、この接続ロス値に基づいて、４番心光ファイバ心線Ｆ０ａ４の対向位置に光ファイバ心線Ｆ１ａ１〜Ｆ１ａ４のいずれも有していないことが検知される。
【００４２】
制御装置１３は、ファイバ検出器１１Ｂからのデータに基づいて、接続ロス値が、第１測定で小となりかつ第２測定で過大となる正常パターンであるか否かを判定する。そして、接続ロス値が、正常パターンから外れている場合（ステップＳ０３：Ｎｏ）、測定装置１３は、軸ずれが生じたと判定し、再測定要として被測定用ファイバＦ１の測定を第１測定からやり直す。
【００４３】
（ステップＳ０４）
次に、以下のＯＴＤＲ測定器１１Ａからのデータに基づく再測定要否判定を行う。
制御装置１３は、第１測定（ステップＳ０１）及び第２測定（ステップＳ０２）で得られたＯＴＤＲ測定器１１Ａの検知結果に異常があるか否かを判定する。
【００４４】
第１測定において、測定用ダミーファイバＦ０の１番心光ファイバ心線Ｆ０ａ１及び３番心光ファイバ心線Ｆ０ａ３は、被測定用ファイバＦ１の１番心光ファイバ心線Ｆ１ａ１及び３番心光ファイバ心線Ｆ１ａ３に突き合わされる。また、第２測定において、測定用ダミーファイバＦ０の１番心光ファイバ心線Ｆ０ａ１及び３番心光ファイバ心線Ｆ０ａ３は、被測定用ファイバＦ１の２番心光ファイバ心線Ｆ１ａ２及び４番心光ファイバ心線Ｆ１ａ４に突き合わされる。このことから、ＯＴＤＲ測定器１１Ａからのデータは、正常であれば接続ロス値が過大となるような測定異常は生じることはない。
【００４５】
したがって、制御装置１３は、ＯＴＤＲ測定器１１Ａからのデータに基づいて、接続ロス値が過大となる測定異常があるか否かを判定する。そして、測定異常がある場合（ステップＳ０４：Ｙｅｓ）、測定装置１３は、軸ずれが生じたと判定し、再測定要として被測定用ファイバＦ１の測定を第１測定からやり直す。
【００４６】
次に、本実施形態に係る光ファイバ測定方法における各種の測定ケース及び各測定ケースにおける再測定要否判定について説明する。
図７は、光ファイバの測定時における各種の測定ケースを示す図である。
図７に示すように、本実施形態に係る光ファイバ測定装置１０では、測定ケースとして、主に正常ケース及び軸ずれが生じた異常ケース１〜６がある。なお、異常ケース１〜３は、測定用ダミーファイバＦ０が４番心光ファイバ心線Ｆ０ａ４側へ軸ずれするケースであり、異常ケース４〜６は、測定用ダミーファイバＦ０が１番心光ファイバ心線Ｆ０ａ１側へ軸ずれするケースである。
【００４７】
（正常ケース）
第１測定及び第２測定のいずれにおいても軸ずれが生じていないケースである。
【００４８】
この正常ケースでは、ファイバ検知器１１Ｂのデータに基づく接続ロス値が、第１測定で小となりかつ第２測定で過大となる正常パターンである。
【００４９】
また、この正常ケースでは、第１測定及び第２測定において、２台のＯＴＤＲ測定器１１Ａのデータに基づく接続ロス値は、いずれも過大となることはない。
【００５０】
したがって、正常ケースでは、軸ずれなし（ステップＳ０３:Ｙｅｓ，ステップＳ０４：Ｎｏ）と判定されて被測定用ファイバＦ１に対する測定が正常に終了される。
【００５１】
（異常ケース１）
異常ケース１は、第１測定において、測定用ダミーファイバＦ０が４番心光ファイバ心線Ｆ０ａ４側へ１心分軸ずれしたケースである。
【００５２】
この異常ケース１では、ファイバ検知器１１Ｂのデータに基づく接続ロス値が、第１測定で過大となり、第２測定で過大となるため、正常パターンから外れる。
【００５３】
したがって、異常ケース１では、軸ずれあり（ステップＳ０３：Ｎｏ）と判定されて再測定が行われる。
【００５４】
なお、この異常ケース１では、２台のＯＴＤＲ測定器１１Ａの波形データが、第１測定及び第２測定において通常では起こらない完全一致となる。このことから軸ずれが生じていると判定することも可能である。
【００５５】
（異常ケース２）
異常ケース２は、第２測定において、測定用ダミーファイバＦ０が４番心光ファイバ心線Ｆ０ａ４側へ１心分軸ずれしたケースである。
【００５６】
この異常ケース２では、ファイバ検知器１１Ｂのデータに基づく接続ロス値が、第１測定で小となりかつ第２測定で過大となる正常パターンである。
【００５７】
しかし、この異常ケース２では、第２測定において、測定用ダミーファイバＦ０の３番心光ファイバ心線Ｆ０ａ３が接続されたＯＴＤＲ測定器１１Ａのデータに基づく接続ロス値が過大となり、測定異常があると判定される。
【００５８】
したがって、異常ケース２では、軸ずれあり（ステップＳ０４：Ｙｅｓ）と判定されて再測定が行われる。
【００５９】
（異常ケース３）
異常ケース３は、第１測定において、測定用ダミーファイバＦ０が４番心光ファイバ心線Ｆ０ａ４側へ１心分軸ずれ、その後、第２測定において、測定用ダミーファイバＦ０が４番心光ファイバ心線Ｆ０ａ４側へ１心分移動したケースである。
【００６０】
この異常ケース３では、ファイバ検知器１１Ｂのデータに基づく接続ロス値が、第１測定で過大となり、第２測定で過大となるため、正常パターンから外れる。
【００６１】
したがって、異常ケース３では、軸ずれあり（ステップＳ０３：Ｎｏ）と判定されて再測定が行われる。
【００６２】
なお、この異常ケース３では、測定用ダミーファイバＦ０の３番心光ファイバ心線Ｆ０ａ３が接続されたＯＴＤＲ測定器１１Ａのデータに基づく接続ロス値が過大となることから測定異常があると判定することも可能である。
【００６３】
（異常ケース４）
異常ケース４は、第１測定において、測定用ダミーファイバＦ０が１番心光ファイバ心線Ｆ０ａ１側へ１心分軸ずれ、その後、第２測定において、測定用ダミーファイバＦ０が４番心光ファイバ心線Ｆ０ａ４側へ２心分移動したケースである。
【００６４】
この異常ケース４では、ファイバ検知器１１Ｂのデータに基づく接続ロス値が、第１測定で小となりかつ第２測定で過大となる正常パターンである。
【００６５】
しかし、この異常ケース４では、第１測定において、測定用ダミーファイバＦ０の１番心光ファイバ心線Ｆ０ａ１が接続されたＯＴＤＲ測定器１１Ａのデータに基づく接続ロス値が過大となり、測定異常があると判定される。
【００６６】
したがって、異常ケース４では、軸ずれあり（ステップＳ０４：Ｙｅｓ）と判定されて再測定が行われる。
【００６７】
（異常ケース５）
異常ケース５は、第２測定において、測定用ダミーファイバＦ０が４番心光ファイバ心線Ｆ０ａ４側へ移動しないために軸ずれしたケースである。
【００６８】
この異常ケース５では、ファイバ検知器１１Ｂのデータに基づく接続ロス値が、第１測定で小となり、第２測定で小となるため、正常パターンから外れる。
【００６９】
したがって、異常ケース５では、軸ずれあり（ステップＳ０３：Ｎｏ）と判定されて再測定が行われる。
【００７０】
なお、この異常ケース５では、２台のＯＴＤＲ測定器１１Ａの波形データが、第１測定及び第２測定において通常では起こらない完全一致となる。このことから軸ずれが生じていると判定することも可能である。
【００７１】
（異常ケース６）
異常ケース６は、第１測定において、測定用ダミーファイバＦ０が１番心光ファイバ心線Ｆ０ａ１側へ１心分軸ずれ、その後、第２測定において、測定用ダミーファイバＦ０が４番心光ファイバ心線Ｆ０ａ４側へ１心分移動したケースである。
【００７２】
この異常ケース６では、ファイバ検知器１１Ｂのデータに基づく接続ロス値が、第１測定で小となり、第２測定で小となるため、正常パターンから外れる。
【００７３】
したがって、異常ケース６では、軸ずれあり（ステップＳ０３：Ｎｏ）と判定されて再測定が行われる。
【００７４】
なお、この異常ケース６では、測定用ダミーファイバＦ０の１番心光ファイバ心線Ｆ０ａ１が接続されたＯＴＤＲ測定器１１Ａのデータに基づく接続ロス値が過大となることから測定異常があると判定することも可能である。
【００７５】
（他の測定ケース）
他の測定ケースとしては、ＯＴＤＲ測定器１１Ａに接続された測定用ダミーファイバＦ０の１番心光ファイバ心線Ｆ０ａ１と３番心光ファイバ心線Ｆ０ａ３の両方またはいずれか一方が１心分ずれることで、２番心光ファイバ心線Ｆ０ａ２が本来保持される第２番溝Ｖｍ２や４番心光ファイバ心線Ｆ０ａ４が本来保持される第４番溝Ｖｍ４に誤って入り込みそうになることがある。
【００７６】
しかし、２番心光ファイバ心線Ｆ０ａ２及び４番心光ファイバ心線Ｆ０ａ４は、１番心光ファイバ心線Ｆ０ａ１や３番心光ファイバ心線Ｆ０ａ３よりも、本来保持される第２番溝Ｖｍ２及び第４番溝Ｖｍ４に保持され易い。このため、１番心光ファイバ心線Ｆ０ａ１や３番心光ファイバ心線Ｆ０ａ３は、第２番溝Ｖｍ２や第４番溝Ｖｍ４に保持されることなく、いずれのＶ溝Ｖｍからも外れた状態となる。
【００７７】
したがって、１番心光ファイバ心線Ｆ０ａ１や３番心光ファイバ心線Ｆ０ａ３は、被測定用ファイバＦ１の光ファイバ心線Ｆ１ａのいずれとも突き合されないこととなる。このため、この測定ケースの場合では、１番心光ファイバ心線Ｆ０ａ１や３番心光ファイバ心線Ｆ０ａ３が接続されたＯＴＤＲ測定器１１Ａのデータに基づく接続ロス値が過大となることから測定異常があると判定することが可能である。
【００７８】
同様に、測定用ダミーファイバＦ０の２番心光ファイバ心線Ｆ０ａ２と４番心光ファイバ心線Ｆ０ａ４の両方またはいずれか一方が１心分ずれることで、１番心光ファイバ心線Ｆ０ａ１が本来保持される第１番溝Ｖｍ１や３番心光ファイバ心線Ｆ０ａ３が本来保持される第３番溝Ｖｍ３に誤って入り込みそうになることもある。
【００７９】
しかし、１番心光ファイバ心線Ｆ０ａ１及び３番心光ファイバ心線Ｆ０ａ３は、２番心光ファイバ心線Ｆ０ａ２や４番心光ファイバ心線Ｆ０ａ４よりも、本来保持される第１番溝Ｖｍ１及び第３番溝Ｖｍ３に保持され易い。このため、２番心光ファイバ心線Ｆ０ａ２や４番心光ファイバ心線Ｆ０ａ４は、第１番溝Ｖｍ１や第３番溝Ｖｍ３に保持されることなく、いずれのＶ溝Ｖｍからも外れた状態となる。
【００８０】
したがって、２番心光ファイバ心線Ｆ０ａ２や４番心光ファイバ心線Ｆ０ａ４に軸ずれが生じても、１番心光ファイバ心線Ｆ０ａ１及び３番心光ファイバ心線Ｆ０ａ３は、正規の第１番溝Ｖｍ１及び第３番溝Ｖｍ３に保持される。この場合、１番心光ファイバ心線Ｆ０ａ１及び３番心光ファイバ心線Ｆ０ａ３が接続された２台のＯＴＤＲ測定器１１Ａによって適切な測定データが得られる。
【００８１】
以上、説明したように、本実施形態に係る光ファイバ測定装置及び測定方法によれば、第１測定と第２測定の２回の測定を行うことで、４心の被測定用ファイバＦ１の全ての光ファイバ心線Ｆ１ａの伝送特性を測定することができる。しかも、測定には、光ファイバ心線Ｆ１ａの伝送特性を測定する高価な伝送特性測定器であるＯＴＤＲ測定器１１Ａを２台だけ用いる構成としている。
【００８２】
また、ＯＴＤＲ測定器１１Ａの測定結果及びファイバ検知器１１Ｂの検知結果から被測定用ファイバＦ１に対する測定用ダミーファイバＦ０の軸ずれの有無を確実に判定することができる。しかも、軸ずれの有無の判定に用いるファイバ検知器１１Ｂとしては、光学的に光ファイバ心線の有無を検知する安価なものを用いたり、老朽化して性能が低下したＯＴＤＲ測定器を有効利用することができ、経済的である。
【００８３】
このように、本実施形態によれば、設備費を抑えつつ短時間で高精度に被測定用ファイバＦ１の伝送特性を測定することができる。
【００８４】
なお、上記実施形態では、測定用ファイバＦ０の２番心光ファイバ心線Ｆ０ａ２のダミーガラスファイバＧｄ２は、コア及びクラッドを有するガラスファイバであるが、このダミーガラスファイバＧｄ２としては、他のダミーガラスファイバＧｄ１，Ｇｄ３，Ｇｄ４と同一外径を有していれば、コア及びクラッドから構成されていないものでも良い。
【符号の説明】
【００８５】
１０：光ファイバ測定装置
１１Ａ：ＯＴＤＲ測定器（伝送特性測定器）
１１Ｂ：ファイバ検知器
１２：測定補助装置
１３：制御装置
１４：Ｖ溝ブロック
Ｆ０：測定用ダミーファイバ
Ｆ０ａ１〜Ｆ０ａ４：光ファイバ心線
Ｆ１：被測定用ファイバ
Ｆ１ａ１〜Ｆ１ａ４：光ファイバ心線
Ｖｍ：Ｖ溝
【図１】
2015152431.tif 000003
【図２】
2015152431.tif 000004
【図３】
2015152431.tif 000005
【図４】
2015152431.tif 000006
【図５】
2015152431.tif 000007
【図６】
2015152431.tif 000008
【図７】
2015152431.tif 000009